(57)【特許請求の範囲】
【請求項１】
取引上の決済に複数種類の電子決済サービスを利用可能な自動販売機であって、
前記各電子決済サービス毎の電子決済サービス情報を記憶した非接触情報記憶媒体から前記電子決済サービス情報を読み取るリーダライタと、
前記電子決済サービスを表示する電子決済サービス表示部と、
これらを制御する制御部と、を備え、
前記電子決済サービス表示部を前記リーダライタに備えたカードタッチ部に設け、
前記制御部は、決済処理を実行する前に選択された電子決済サービスに基づいて決済を行なうことを利用者に知らせる表示を前記電子決済サービス表示部に表示するよう制御することを特徴とする自動販売機。
【請求項２】
前記リーダライタは、複数種類の電子決済サービスに対応した呼び出しを順番に繰り返して非接触情報記憶媒体の近接を待ち受けるものであり、
前記制御部は、カードタッチ部に近づけられた前記非接触情報記憶媒体を前記リーダライタが読み取って選択した電子決済サービスにて決済を行うことを利用者に知らせる表示を前記電子決済サービス表示部に表示するよう制御することを特徴とする請求項１に記載の自動販売機。
【請求項３】
前記自動販売機は、更に複数種類の電子決済サービスの中から利用者が希望する１つを選択するための選択ボタンを備えており、
前記制御部は、利用者が選択ボタンにより選択した電子決済サービスにて決済を行うことを利用者に知らせる表示を前記電子決済サービス表示部に表示するよう制御することを特徴とする請求項１に記載の自動販売機。
【請求項４】
前記リーダライタは、複数種類の電子決済サービスに対応した呼び出し順番に繰り返して非接触情報記憶媒体の近接を待ち受けるものであり、
前記自動販売機は、前記リーダライタが前記カードタッチ部に近づけられた前記非接触情報記憶媒体から読み取った当該自動販売機で利用可能な全ての電子決済サービスを表示するための表示部と、表示部に表示された電子決済サービスの中から利用者が希望する１つを選択するための選択ボタンを備えており、
前記制御部は、利用者が選択ボタンにより選択した電子決済サービスにて決済を行うことを利用者に知らせる表示を前記電子決済サービス表示部に表示するよう制御することを特徴とする請求項１に記載の自動販売機。
【請求項５】
前記制御部は、前記リーダライタを介して前記非接触情報記憶媒体から電子決済サービス情報を読み取り、当該電子決済サービスにより決済処理を実行して、該決済処理が実行不可能な場合には、前記電子決済サービス表示部に表示されている電子決済サービスを消去して該決済処理が実行不可能な旨を表示することを特徴とする請求項１に記載の自動販売機。
【請求項６】
前記制御部は、前記各決済サービスの表示情報を記憶する表示情報記憶部を備え、前記リーダライタにより読み取られた電子決済サービスに対応した表示情報を前記表示情報記憶部から読み出して前記電子決済サービス表示部に表示することを特徴とする請求項１又は５に記載の自動販売機。
【請求項７】
前記電子決済サービス表示部は、液晶ディスプレイにより構成されていることを特徴とする請求項１乃至６の何れか一項に記載の自動販売機。
【請求項８】
前記電子決済サービス表示部は、ランプ又はＬＥＤにより構成されていることを特徴とする請求項１に記載の自動販売機。
【発明の詳細な説明】
【技術分野】
【０００１】
本発明は、自動販売機に関し、さらに詳しくは、複数種類の電子決済サービスを利用して商品の販売を可能とした自動販売機に関するものである。
【背景技術】
【０００２】
近年、例えば、ＩＣカード等に電子決済サービス情報（ＩＣカードを特定するＩＤ等の認証情報、電子マネー残高等の金銭価値情報、及び出納情報）を記憶しておき、そのＩＣカード等を使用して買い物などができる電子マネーシステムが導入されている。例えばプリペイド型電子マネーシステムでは、買い物をする前にＩＣカード等に電子マネー残高が所定の金額になるようにチャージしておき、商品購入時に購入代金をＩＣカード等に記憶された電子マネー残高から減額する方法がとられている。代表的な一例として、Ｓｕｉｃａ（登録商標）等のＩＣカードの場合、改札を通過するだけで精算処理ができるように、予め電子決済サービス情報をＩＣカード等に記憶しておくシステムが存在する。
【０００３】
また、最近では取引上の決済に複数種類の電子決済サービスを利用可能な自動販売機が登場しており、多くの利用者に自動販売機を利用してもらう機会が増加した。これらの自動販売機では、図８に示すように、カードタッチ部５０の近傍にこの自動販売機が対応している電子決済サービスを選択するためのサービス選択ボタン５２が用意されている。利用者はこのサービス選択ボタン５２で自身の保有する電子決済サービス用ｌＣカードの種類を選択押下し、その後にｌＣカードをカードタッチ部５０に近接するなどして読み取らせて決済を行う。このような、従来のカードタッチ部５０には図示するように「ｌＣカードをタッチしてください」と記載された表示パネル５１が貼り付けられているだけであり、１種類の電子決済サービスに対応した機種のようにロゴマークが大きく表示されている訳ではない。また、サービス選択ボタン５２は小さく視認し難いため、利用者は決済が完了するまで所望の電子決済サービスが正しく選択されているか不安感をおぼえるという問題があった。
【０００４】
また、特許文献１は、複数の電子マネーサービスに対応したＩＣカードを用いた電子マネー端末であって、操作手順として、１）ＩＣカードをリーダライタにタッチ、２）端末に電子マネー情報を読み込む、３）表示部に電子マネーサービス一覧を示す、４）利用したい電子マネーサービスを選択操作する、ことにより、決済処理が実行されることが開示されている。
この場合も表示部に小さく複数の電子決済サービスが一覧表示されているだけなので、同様に利用者は決済が完了するまでに所望の電子決済サービスが正しく選択されているか不安感をおぼえることになる。
【特許文献１】特開２００６−３０１７８０公報
【発明の開示】
【発明が解決しようとする課題】
【０００５】
しかしながら、特許文献１に開示された従来技術は、決済の度に操作表示部により上記の１）〜４）項の選択操作をしなければならず、利用者にとって操作が面倒であった。
本発明は、かかる課題に鑑みてなされたものであり、リーダライタのカードタッチ部に表示部を備え、利用するＩＣカードをリーダライタにタッチすると、表示部に即座に電子決済サービス名を表示するようにして、利用者が決済を行なうＩＣカードを事前に確認して、利用者に安心感を与える自動販売機を提供することを目的とする。
【課題を解決するための手段】
【０００６】
本発明はかかる課題を解決するために、請求項１は、取引上の決済に複数種類の電子決済サービスを利用可能な自動販売機であって、前記各電子決済サービス毎の電子決済サービス情報を記憶した非接触情報記憶媒体から前記電子決済サービス情報を読み取るリーダライタと、前記電子決済サービスを表示する電子決済サービス表示部と、これらを制御する制御部と、を備え、前記電子決済サービス表示部を前記リーダライタに備えたカードタッチ部に設け、前記制御部は、決済処理を実行する前に選択された電子決済サービスに基づいて決済を行なうことを利用者に知らせる表示を前記電子決済サービス表示部に表示するように制御することを特徴とする。
本発明の自動販売機は、商品購入のための決済を行なう非接触情報記憶媒体が、リーダライタのカードタッチ部に近接されたときに、その部分に備えられた電子決済サービス表示部により、近接された非接触情報記憶媒体の電子決済サービスを表示する。即ち、利用者が利用する非接触情報記憶媒体がどこの電子決済サービスであるかを決済の如何に関わらず表示する。これにより、利用者が決済を行なう非接触情報記憶媒体を事前に確認して、利用者に安心感を与えることができる。
【０００７】
請求項２は、前記リーダライタは、複数種類の電子決済サービスに対応した呼び出しを順番に繰り返して非接触情報記憶媒体の近接を待ち受けるものであり、前記制御部は、カードタッチ部に近づけられた前記非接触情報記憶媒体を前記リーダライタが読み取って選択した電子決済サービスにて決済を行うことを利用者に知らせる表示を前記電子決済サービス表示部に表示するよう制御することを特徴とする。
１つの非接触情報記憶媒体に複数の電子決済サービスを記憶する場合、その中から自動販売機が自動的に選択して決済を行なうものがある。そのためには、非接触情報記憶媒体をカードタッチ部に近接したときに、決済される電子決済サービスが何処であるかを表示する必要がある。これにより、利用者は決済される電子決済サービスを確認することができる。
【０００８】
請求項３は、前記自動販売機は、更に複数種類の電子決済サービスの中から利用者が希望する１つを選択するための選択ボタンを備えており、前記制御部は、利用者が選択ボタンにより選択した電子決済サービスにて決済を行うことを利用者に知らせる表示を前記電子決済サービス表示部に表示するよう制御することを特徴とする。
複数の電子決済サービスが表示された場合、利用者はその中から最適な電子決済サービスを選択できなければならない。そこで本発明では、複数の電子決済サービスを選択する選択ボタンを備える。これにより、利用者は表示された電子決済サービスから最適なものを選択することができる。
【０００９】
請求項４は、前記リーダライタは、複数種類の電子決済サービスに対応した呼び出し順番に繰り返して非接触情報記憶媒体の近接を待ち受けるものであり、前記自動販売機は、前記リーダライタが前記カードタッチ部に近づけられた前記非接触情報記憶媒体から読み取った当該自動販売機で利用可能な全ての電子決済サービスを表示するための表示部と、表示部に表示された電子決済サービスの中から利用者が希望する１つを選択するための選択ボタンを備えており、前記制御部は、利用者が選択ボタンにより選択した電子決済サービスにて決済を行うことを利用者に知らせる表示を前記電子決済サービス表示部に表示するよう制御することを特徴とする。
複数の電子決済サービスが表示され、利用者はその中から最適な電子決済サービスを選択した場合、その電子決済サービスにて決済を行なう旨を表示する必要がある。そこで本発明では、選択された電子決済サービスを電子決済サービス表示部に表示する。これにより、利用者が選択した電子決済サービスを明確に確認することができる。
【００１０】
請求項５は、前記制御部は、前記リーダライタを介して前記非接触情報記憶媒体から電子決済サービス情報を読み取り、当該電子決済サービスにより決済処理を実行して、該決済処理が実行不可能な場合には、前記電子決済サービス表示部に表示されている電子決済サービスを消去して該決済処理が実行不可能な旨を表示することを特徴とする。
一旦、電子決済サービス表示部に表示された電子決済サービスは、商品を購入して決済が完了して終了する。しかし、決済を実行することができない場合は、その旨を利用者に報知しなければならないので、電子決済サービス表示部に表示された電子決済サービスを消去して、決済処理が実行不可能な旨を表示する。これにより、利用者は、商品を購入できない理由を認識することができる。
【００１１】
請求項６は、前記制御部は、前記各決済サービスの表示情報を記憶する表示情報記憶部を備え、前記リーダライタにより読み取られた電子決済サービスに対応した表示情報を前記表示情報記憶部から読み出して前記電子決済サービス表示部に表示することを特徴とする。
電子決済サービス表示部には、複数種類の電子決済サービスを表示する必要がある。そこで本発明では、予め、各電子決済サービス毎の表示情報を記憶部に記憶しておき、リーダライタにより読み取られた電子決済サービスに対応した表示情報を記憶部から読み出して電子決済サービス表示部に表示する。これにより、電子決済サービスごとに独自の表示内容を表示することができる。
【００１２】
請求項７は、前記電子決済サービス表示部は、液晶ディスプレイにより構成されていることを特徴とする。
画像を表示するためには、電子決済サービス表示部はディスプレイ構造でなければならない。そこで本発明では、電子決済サービス表示部を液晶ディスプレイにより構成する。これにより、表示内容を任意に変更することができ、且つ、消費電力を低減することができる。
請求項８は、前記電子決済サービス表示部は、ランプ又はＬＥＤにより構成されていることを特徴とする。
予め電子決済サービスの種類と数が固定的に決まっている場合は、表示をランプ又はＬＥＤで表示することが可能である。これにより、表示部を安価に構成することができる。
【発明の効果】
【００１３】
本発明によれば、利用者が利用する非接触情報記憶媒体がどこの電子決済サービスであるかを決済の如何に関わらず表示することにより、利用者が決済を行なう非接触情報記憶媒体を事前に確認して、利用者に安心感を与えることができる。
また、非接触情報記憶媒体をカードタッチ部に近接したときに、決済される電子決済サービスが何処であるかを表示するので、利用者は決済される電子決済サービスを確認することができる。
また、複数の電子決済サービスを選択する選択ボタンを備えたので、利用者は表示された電子決済サービスから最適なものを選択することができる。
また、選択された電子決済サービスを電子決済サービス表示部に表示するので、利用者が選択した電子決済サービスを明確に確認することができる。
【００１４】
また、決済を実行することができない場合は、電子決済サービス表示部に表示された電子決済サービスを消去して、決済処理が実行不可能な旨を表示するので、利用者は、商品を購入できない理由を認識することができる。
また、予め、各電子決済サービス毎の表示情報を記憶部に記憶しておき、リーダライタにより読み取られた電子決済サービスに対応した表示情報を記憶部から読み出して電子決済サービス表示部に表示するので、電子決済サービス独自の表示を自由に表示することができると共に、表示内容の変更を容易に行うことができる。
また、電子決済サービス表示部を液晶ディスプレイにより構成するので、表示内容を任意に変更することができ、且つ、消費電力を低減することができる。
また、表示をランプ又はＬＥＤで表示ので、表示部を安価に構成することができる。
【発明を実施するための最良の形態】
【００１５】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の一実施形態に係る自動販売機の構成ブロック図である。
この自動販売機１０は、取引上の決済に係る処理をコンピュータ上で実現するために電子決済サービスを記憶したＩＣカード（ＲＦＩＤなどの非接触情報記憶媒体）５６を利用した商品の販売を可能とする自動販売機であって、電子決済サービスをＩＣカード５６から読み取り、この電子決済サービス情報に含まれる電子マネー残高を更新するリーダライタ（Ｒ／Ｗ）５と、各電子決済サービスの入出金を管理する電子マネー管理センタ５２（図２参照）との間でネットワーク５８を介して電子決済サービスの授受を行なう通信部１と、利用者が購入する商品を選択するための操作を行う操作表示部２と、操作表示部２により選択された商品を利用者に提供する商品処理部６と、現金により商品の決済を行なう金銭処理部４と、各電子決済サービス毎の表示情報を記憶する記憶部（画像記憶部）７と、電子決済サービスを表示するカードタッチ表示部（電子決済サービス表示部）８と、リーダライタ５によりＩＣカード５６から読み取られた電子決済サービスに基づいて電子マネー管理センタ５２との間で決済を行い、商品処理部６を制御する制御部３と、を備えて構成されている。なお、図示を省略するが制御部３は時刻情報（年月日時分秒曜日）を計時する時計機能を有している。
即ち、本発明の自動販売機１０は、商品購入のための決済を行なうＩＣカード５６が、リーダライタ５のカードタッチ部に近接されたときに、その部分に備えられたカードタッチ表示部８により、近接されたＩＣカード５６の電子決済サービスを表示する。即ち、利用者が利用するＩＣカードがどこの電子決済サービスであるかを決済の如何に関わらず表示する。これにより、利用者が決済を行なうＩＣカードを事前に確認して、利用者に安心感を与えることができる。
【００１６】
図２は、本発明の電子マネーシステムの一例を示す図である。この電子マネーシステム７０は金融機関の貯蓄口座を管理する銀行管理センタ５０と、クレジット決済と与信情報を管理するクレジット管理センタ５１と、取引上の決済をコンピュータ上で実現するための電子決済サービスに係る入出金を管理する電子マネー管理センタ５２と、ＩＣカード５６に記憶されている電子決済サービス情報の残高に金額を加算するチャージ端末５３と、図１の自動販売機１０と、銀行管理センタ５０、クレジット管理センタ５１及び電子マネー管理センタ５２と自動販売機１０及びチャージ端末５３間を接続するネットワーク５７、５８と、を備えて構成されている。
本実施形態の電子マネーシステム７０は、従来のＩＣカードによる電子マネーシステムと基本的な構成は同じである。異なる点は、店舗等に設置された支払端末に替わって店舗に限らず不特定な場所に設置された自動販売機１０になったことと、従来の単一種類の電子決済サービスのＩＣカードに代わって、電子決済サービスを記憶した複数種類のＩＣカード５６により自動販売機１０から商品を購入する点である。また、チャージ端末５３は自動販売機１０に備えても良い。これにより、従来の電子マネーシステムの構成を利用して自動販売機１０を介してＩＣカード５６により商品を購入することができる。
【００１７】
図３はカードタッチ表示部８に表示されたイメージの一例を示す図である。（ａ）は例えばＡ社のイメージを表し、（ｂ）はＢ社のイメージを表している。本発明のカードタッチ表示部８は、リーダライタのアンテナが備えられたカードタッチ部８ａの略中心部に設けられている。そして利用者がカードタッチ部８ａにＩＣカードを近接すると、ＩＣカードに記憶されている電子決済サービス情報からＩＣカードの会社名を認識して、記憶部７に記憶されている会社名に対応するイメージをカードタッチ表示部８に表示する。
即ち、カードタッチ表示部８には、複数種類の電子決済サービスを表示する必要がある。そこで本実施形態では、予め、各電子決済サービス毎の表示情報を記憶部７に記憶しておき、リーダライタ５により読み取られた電子決済サービスに対応した表示情報を記憶部７から読み出してカードタッチ表示部８に表示する。これにより、電子決済サービス独自の表示を自由に表示することができる。尚、記憶部７に記憶する表示情報は、文字、イラスト、又は動画、静止画等どのような情報でも構わない。
また、情報を表示するためには、カードタッチ表示部８はディスプレイ構造でなければならない。そこで本実施形態では、カードタッチ表示部８を液晶ディスプレイにより構成する。これにより、表示内容を任意に変更することができ、且つ、消費電力の増大を抑えることができる。
【００１８】
図４は自動販売機１０の概略動作を説明するフローチャートである。利用者はＩＣカードをリーダライタ５のカードタッチ部８ａに近接する（Ｓ１）。リーダライタ５はＩＣカードに記憶されている電子決済サービス情報を読み取る（Ｓ２）。制御部３は電子決済サービス情報から電子決済サービスを認識して、記憶部７に記憶されている表示情報を読み出してカードタッチ表示部８に表示する（Ｓ３）。その後、利用者は操作表示部２により商品を選択する（Ｓ４）。その情報は通信部１を介してネットワーク５８から電子マネー管理センタ５２に送信されて、決済が実行されると（Ｓ５でＹＥＳ）、商品を商品処理部６から提供する（Ｓ６）。一方、ステップＳ５で決済が実行されないと（Ｓ５でＮＯ）、カードタッチ表示部８に表示されている表示画像を消去して、決済不可の旨を表示する（Ｓ７）。
即ち本実施形態では、一旦、カードタッチ表示部８に表示された電子決済サービスは、商品を購入して決済が完了して終了する。しかし、決済を実行することができない場合は、その旨を利用者に報知しなければならないので、カードタッチ表示部８に表示された電子決済サービスを消去して、決済処理が実行不可能な旨を表示する。これにより、利用者は、商品を購入できない理由を認識することができる。
【００１９】
図５（ａ）は本発明のカードタッチ部８ａの断面図、図５（ｂ）はカードタッチ部８ａを前面から見た図、図５（ｃ）はカードタッチ部８ａを前面から見た図で決済が不可の場合の表示内容を示す図である。本発明のカードタッチ部８ａは、図５（ａ）のように、カードタッチ部８ａの傾斜した部分にカードタッチ表示部（液晶ディスプレイ）８を備え、その周囲を周回するようにリーダライタ５のアンテナ５ａが備えられている。そしてカードタッチ部８ａの内部にリーダライタ５とＬＣＤドライバ９が備えられている。図５（ｄ）は本発明の他の実施形態に係るカードタッチ部８ａを前面から見た図である。このカードタッチ部８ａは、液晶ディスプレイの代わりに、ＬＥＤ又はランプにより表示内容を表示するものである。例えば、電子決済サービスがＡ，Ｂ，Ｃ社ある場合を例にとると、カードタッチ部８ａに近接されたＩＣカードがＡ社の場合は、それに対応するＬＥＤ又はランプ２０が点灯する。また、決済不可の場合はＬＥＤ又はランプ２３が点灯する。即ち、予め電子決済サービスの種類と数が固定的に決まっている場合は、表示をＬＥＤ又はランプで表示しても可能である。これにより、カードタッチ表示部８を安価に構成することができる。
【００２０】
図６（ａ）は図５（ａ）のカードタッチ表示部８の機能ブロック図である。カードタッチ表示部８が液晶ディスプレイにより構成されている場合は、液晶を駆動するためのＬＣＤドライバ９が必要である。尚、ＬＣＤディスプレイ８とＬＣＤドライバ９は、汎用の部品を使用しても構わない。そしてＬＣＤディスプレイ８に表示する表示内容は、制御部３から送られるデータを処理して構成する。また、リーダライタ５はアンテナ５ａから受信した磁界変化を電流に変換してデジタルデータを生成する。
また、図６（ｂ）は図５（ｄ）のカードタッチ表示部８の機能ブロック図である。カードタッチ表示部８がＬＥＤにより構成されている場合は、ＬＥＤを駆動するためのＬＥＤドライバ２４が必要である。尚、ＬＥＤ２０〜２２とＬＥＤドライバ２４は、汎用の部品を使用しても構わない。そしてＬＥＤ２０〜２２を点灯する信号は、制御部３から送られる。また、リーダライタ５はアンテナ５ａから受信した磁界変化を電流に変換してデジタルデータを生成する。
【００２１】
図７はパネルタッチ式液晶ディスプレイにより構成したカードタッチ表示部８に表示されたイメージの一例を示す図である。図７（ａ）は待機状態の図であり、カードタッチ表示部８に「カードをタッチして下さい。」と表示する。その状態から図７（ｂ）のように、利用者が非接触情報記憶媒体５６をカードタッチ表示部８に近接すると通信が行われ、対応する電子決済サービス３０（この例では、Ａ社〜Ｃ社の電子決済サービス）がボタン形式で表示される。次に、図７（ｃ）のように、利用者が例えばＡ社の電子決済サービスボタン３０ａを選択する（指３１で触れる）と、図７（ｄ）のようにカードタッチ表示部８に選択されたＡ社の電子決済サービス３２を表示する（例えば、ロゴマーク）。尚、この例ではカードタッチ表示部８をパネルタッチ式のディスプレイとして操作表示機能を兼ね備えることで、利用者に電子決済サービスの選択手段を提供しているが、選択手段としての操作表示機能は、カードタッチ表示部８とは別に設けても良い。
【図面の簡単な説明】
【００２２】
【図１】本発明の一実施形態に係る自動販売機の構成ブロック図である。
【図２】本発明の電子マネーシステムの一例を示す図である。
【図３】カードタッチ表示部８に表示されたイメージの一例を示す図で、（ａ）は例えばＡ社のイメージを表す図、（ｂ）はＢ社のイメージを表す図である。
【図４】自動販売機１０の概略動作を説明するフローチャートである。
【図５】（ａ）は本発明のカードタッチ部８ａの断面図、（ｂ）はカードタッチ部８ａを前面から見た図、（ｃ）はカードタッチ部８ａを前面から見た図で決済が不可の場合の表示内容を示す図、（ｄ）は本発明の他の実施形態に係るカードタッチ部８ａを前面から見た図である。
【図６】（ａ）は図５（ａ）のカードタッチ表示部８の機能ブロック図、（ｂ）は図５（ｄ）のカードタッチ表示部８の機能ブロック図である。
【図７】（ａ）〜（ｄ）はカードタッチ表示部８に表示されたイメージの一例を示す図である。
【図８】従来のカードタッチ部の外観を表す図である。
【符号の説明】
【００２３】
１  通信部、２  操作表示部、３  制御部、４  金銭処理部、５  リーダライタ、６  商品処理部、７  記憶部、８  カードタッチ表示部、１０  自動販売機、５０  銀行管理センタ、５１  クレジット管理センタ、５２  電子マネー管理センタ、５３  チャージ端末、５６  ＩＣカード、５７，５８  ネットワーク、７０  電子マネーシステム
【図１】
0005103594.tif 000002
【図２】
0005103594.tif 000003
【図３】
0005103594.tif 000004
【図４】
0005103594.tif 000005
【図５】
0005103594.tif 000006
【図６】
0005103594.tif 000007
【図７】
0005103594.tif 000008
【図８】
0005103594.tif 000009